(57)【要約】【課題】簡単な構成で、負荷変動や振動を抑えた感光体駆動機構を提供することを課題とする。【解決手段】感光体駆動モータ（１）と感光体軸（５）との駆動連結を感光体駆動タイミングベルト（７）により行う構成で、アイドラプーリ（１１）の回転軸（１１ａ）両端を支持する軸受（１２）と、支持部材（１３）とを、弾性部材（１４）により連結し、該弾性部材（１４）によって軸受（１２）に対し加圧力を加える構成の感光体駆動機構である。弾性部材（１４）の弾性係数は、両端各々で調整可能である。また、支持部材（１３）を締結部材（１５）により筐体に取り付けるための取付け穴（１３ａ）を長穴形状とし、筐体に対する固定位置を移動可能とする。【選択図】　　　　図４
2004053919.tif 000002
【特許請求の範囲】
【請求項１】
感光体を駆動するための駆動モータと、感光体に駆動を伝達するための感光体軸との間の駆動連結を、タイミングベルトにより行なう構成の感光体駆動機構において、
前記感光体駆動機構は、タイミングベルトへ初期張力を付与するアイドラプーリと、該アイドラプーリ回転軸両端を支持する軸受及び支持部材とを有し、
該軸受と支持部材とを連結する部分には弾性部材を備え、該弾性部材を介して軸受に対し加圧力を加える
ことを特徴とする感光体駆動機構。
【請求項２】
請求項１に記載の感光体駆動機構において、
前記アイドラプーリ回転軸両端を支持する軸受に加圧力を加える弾性部材の弾性係数は、両端各々で調整可能である
ことを特徴とする感光体駆動機構。
【請求項３】
請求項１または２に記載の感光体駆動機構において、
前記アイドラプーリ回転軸両端を支持する支持部材は、筐体に対する固定位置を移動可能である
ことを特徴とする感光体駆動機構。
【発明の詳細な説明】
【０００１】
【発明の属する技術分野】
本発明は、電子写真方式を用いる複写機、プリンタ等の画像形成装置に用いる感光体駆動機構に関するものである。
【０００２】
【従来の技術】
複写機、プリンタ等、電子写真方式の画像形成装置は、像担持体としての感光体上に潜像を形成し、その潜像を現像して転写することで画像を形成する。感光体は回転しながら各工程を行うため、回転に用いられる感光体駆動機構は、駆動系の負荷変動や感光体以外の被駆動部分で発生する振動等を抑えることが重要である。従来では、負荷変動や振動に起因して感光体周速に速度ムラを生じ、これによって画像へ悪影響を及ぼすことを防止するため、感光体駆動軸上にフライホイールを設ける方法や、慣性負荷やブレーキを付与する方法、速度変動を検知してこれをフィードバックする制御手段を設ける方法、等が提案されている。
【０００３】
また、特開２０００−３５２８５１号公報では、駆動ギヤとこれに噛み合うアイドラギヤの速度変動と、アイドラギヤと感光体回転軸に設けたギヤの速度変動との位相が１８０度ずれるように構成し、互いの速度変動をうち消し合うという方法が提案されている。
【０００４】
【発明が解決しようとする課題】
上記問題点に鑑み、本発明は、簡単な構成で、負荷変動や振動を抑えた感光体駆動機構を提供することを課題とする。
【０００５】
【課題を解決するための手段】
上記課題を解決するために、請求項１に記載の本発明は、感光体を駆動するための駆動モータと、感光体に駆動を伝達するための感光体軸との間の駆動連結を、タイミングベルトにより行なう構成の感光体駆動機構において、前記感光体駆動機構は、タイミングベルトへ初期張力を付与するアイドラプーリと、該アイドラプーリ回転軸両端を支持する軸受及び支持部材とを有し、該軸受と支持部材とを連結する部分には弾性部材を備え、該弾性部材を介して軸受に対し加圧力を加えることを特徴とする感光体駆動機構である。
請求項２に記載の本発明は、請求項１に記載の感光体駆動機構において、前記アイドラプーリ回転軸両端を支持する軸受に加圧力を加える弾性部材の弾性係数は、両端各々で調整可能であることを特徴とする感光体駆動機構である。
請求項３に記載の本発明は、請求項１または２に記載の感光体駆動機構において、前記アイドラプーリ回転軸両端を支持する支持部材は、筐体に対する固定位置を移動可能であることを特徴とする感光体駆動機構である。
【０００６】
【発明の実施の形態】
以下より、本発明の実施の形態について図に基づき説明する。
図１は本発明の感光体駆動機構を用いた複写機の駆動部構成の一例を示す斜視図である。図１において（１）は感光体駆動モータである。感光体駆動モータ（１）の出力軸上にはタイミングプーリ（２）が取付けられている。タイミングプーリ（２）は、感光体駆動プーリと感光体周辺部駆動プーリとが一体的に構成されたものである。（５）は感光体軸であり、端部に感光体プーリ（６）が取付けられている。（７）は感光体駆動タイミングベルトであり、感光体駆動モータ（１）と感光体軸（５）とは感光体駆動タイミングベルト（７）により駆動連結されている。（８）は感光体周辺部駆動タイミングベルトであり、転写ベルト駆動軸（９）、クリーニングユニット駆動軸（１０）等への駆動伝達を行なうものである。転写ベルト駆動軸（９）、クリーニングユニット駆動軸（１０）はそれぞれ図示しないユニットへ連結されている。このように、感光体への駆動伝達ループとその他のユニットへの駆動伝達ループとは別個に構成されている。
【０００７】
図２は感光体駆動機構の一例を示す側面図である。図２に示すように、タイミングプーリ（２）と感光体プーリ（６）とを連結する感光体駆動タイミングベルト（７）へ初期張力を付与するために、アイドラプーリ（１１）が設けられている。
図３はアイドラプーリ（１１）の構成を示す図であり、図２のＡ−Ａ’部分の断面図である。アイドラプーリ（１１）は、これと一体的に形成された回転軸（１１ａ）の部分で軸受（１２）を介して支持部材（１３）へ取付けられている。このとき、軸受（１２）は支持部材（１３）に設けられた穴部へ摺動可能に取付けられ、弾性部材（１４）により、一定方向へ加圧力を付与される構成である。支持部材（１３）は感光体駆動タイミングベルト（７）のループの内側に、アイドラプーリ（１１）は感光体駆動タイミングベルト（７）へ当接する位置に配置されている。支持部材（１３）は締結部材（１５）により筐体に対して固定され、このことにより感光体駆動タイミングベルト（７）へ初期張力を与えている。また、感光体駆動タイミングベルト（７）からアイドラプーリ（１１）への反力は軸方向に一定でなく、調整できるように成っている。アイドラプーリ（１１）に傾きが生じるような場合、感光体駆動タイミングベルト（７）が寄ったり、アイドラプーリ（１１）から脱落してしまうことがあるが、弾性部材（１４）の両端それぞれの弾性係数を調整することにより、アイドラプーリ（１１）の傾きを防止するように設定することが可能である。
【０００８】
図４は、図２とは異なる構成の一例を示す側面図である。図４では、支持部材（１３）を締結部材（１５）により筐体に固定するための取付け穴（１３ａ）を長穴形状とし、支持部材（１３）の固定位置を移動可能としている。このことにより、駆動軸または従動軸間の距離のバラツキや、感光体周辺部駆動タイミングベルト（８）の経時での長さの変化が生じた場合等にも、感光体駆動タイミングベルト（７）に対して適正な張力を付与することが可能となる。
【０００９】
【発明の効果】
以上説明したように、請求項１に記載の本発明によれば、負荷変動や振動等が発生した場合に、感光体駆動モータから感光体へと伝達する伝達経路の中で、アイドラプーリの回転軸と支持部材とを連結する弾性部材が緩衝材として機能することで、衝撃を緩衝し、負荷変動、振動等に起因する画像ムラの発生を防止し、簡単な構成で良好な画像を得ることが可能な感光体駆動機構を提供することができる。
また、請求項２に記載の本発明によれば、アイドラプーリ回転軸の両端に付与する加圧力を、弾性部材の弾性係数を変えることにより調整可能とすることで、感光体駆動タイミングベルトの寄りやアイドラプーリからの脱落といった不具合を防止した感光体駆動機構を提供することができる。
さらに、請求項３に記載の本発明によれば、アイドラプーリ回転軸の支持部材を取付ける位置を移動可能とすることで、部品の経時的な変化に対応し、常に適正の張力を付与することが可能な感光体駆動機構を提供することができる。
【図面の簡単な説明】
【図１】本発明の感光体駆動機構を用いた複写機の、駆動構成の一例を示す斜視図である。
【図２】本発明の感光体駆動機構の一例を示す側面図である。
【図３】アイドラプーリの構成を示す断面図である。
【図４】図２とは異なる本発明の感光体駆動機構の一例を示す側面図である。
【符号の説明】
１　感光体駆動モータ
２　タイミングプーリ
５　感光体軸
６　感光体プーリ
７　感光体駆動タイミングベルト
８　感光体周辺部駆動タイミングベルト
９　転写ベルト駆動軸
１０　クリーニングユニット駆動軸
１１　アイドラプーリ
１１ａ　回転軸
１２　軸受
１３　支持部材
１３ａ　取付け穴
１４　弾性部材
１５　締結部材
【図１】
2004053919.tif 000003
【図２】
2004053919.tif 000004
【図３】
2004053919.tif 000005
【図４】
2004053919.tif 000006